(57)【要約】建物において使用される電気機器に所望の動作を行わせるための操作を入力として受け付ける入力部（１４０）と、入力部（１４０）が受け付けた操作がユーザに不利益を与える不利益操作であるか否かを判断する判断部（１０１）と、入力部（１４０）が受け付けた操作が不利益操作であると判断部（１０１）により判断された場合に、電気機器の操作に関するアドバイス情報を提示する情報提示部（１０３）と、情報提示部（１０３）がアドバイス情報を提示した後に入力部（１４０）が操作の入力を受け付けると、受け付けた操作の対象である電気機器に操作の内容に応じた動作を実行させるための制御命令を送信する通信部（１１０）とを備える。
2016038894.tif 000002
【特許請求の範囲】
【請求項１】
建物において使用される電気機器に所望の動作を行わせるための操作を入力として受け付ける入力部と、
前記入力部が受け付けた前記操作がユーザに不利益を与える不利益操作であるか否かを判断する判断部と、
前記入力部が受け付けた前記操作が不利益操作であると前記判断部により判断された場合に、前記電気機器の操作に関するアドバイス情報を提示する情報提示部と、
前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える
機器操作端末。
【請求項２】
前記不利益操作は、前記入力部が受け付けた前記操作の内容に応じた動作を前記電気機器に実行させる前に比べて、前記電気機器の消費電力を増加させるような操作である
請求項１に記載の機器操作端末。
【請求項３】
前記不利益操作は、前記入力部が受け付けた前記操作の内容に応じた動作を前記電気機器に実行させる前に比べて、前記建物の防犯性能が低下するような操作である
請求項１に記載の機器操作端末。
【請求項４】
前記不利益操作は、前記入力部が受け付けた前記操作の内容に応じた動作を前記電気機器に実行させる前に比べて、前記建物の内部の環境が悪化するような操作である
請求項１に記載の機器操作端末。
【請求項５】
前記機器操作端末は、さらに、
前記入力部が受け付けた前記操作の内容に応じた動作を前記電気機器に実行させることで発生する不利益の程度を評価する評価部を備え、
前記情報提示部は、前記評価部の評価結果に応じて、前記アドバイス情報の内容を変化させる
請求項１〜４の何れか１項に記載の機器操作端末。
【請求項６】
前記情報提示部は、
（ｉ）前記評価部が評価した不利益の程度が基準レベル以上である場合、前記入力部が受け付けた前記操作の内容に応じた動作を前記電気機器に実行させない旨の前記アドバイス情報を提示し、
（ｉｉ）前記評価部が評価した不利益の程度が前記基準レベルよりも低い場合、不利益の程度を緩和するための対応策を前記アドバイス情報として提示し、
前記送信部は、前記評価部が評価した不利益の程度が前記基準レベル以上である場合、前記制御命令の送信を停止する
請求項５に記載の機器操作端末。
【請求項７】
前記機器操作端末は、さらに、
主たるユーザを示す識別情報が予め登録された記憶部を備え、
前記情報提示部は、前記識別情報に応じて前記アドバイス情報の内容を変化させる
請求項１〜６の何れか１項に記載の機器操作端末。
【請求項８】
前記機器操作端末は、さらに、
前記建物に設置されて放電時に前記電気機器に電力を供給する蓄電池の残量情報を取得する取得部を備え、
前記情報提示部は、前記残量情報に基づいて前記アドバイス情報の内容を変化させる
請求項１〜７の何れか１項に記載の機器操作端末。
【請求項９】
前記情報提示部は、前記残量情報から求めた前記蓄電池の残量が閾値以上である場合、前記蓄電池を放電させるか否かを選択させる内容を提示する
請求項８に記載の機器操作端末。
【請求項１０】
建物において使用される電気機器と、前記電気機器に制御命令を送信する機器操作端末とを備える制御システムであって、
前記機器操作端末は、
前記電気機器に所望の動作を行わせるための操作を入力として受け付ける入力部と、
前記入力部が受け付けた前記操作がユーザに不利益を与える不利益操作であるか否かを判断する判断部と、
前記入力部が受け付けた前記操作が不利益操作であると前記判断部により判断された場合に、前記電気機器の操作に関するアドバイス情報を提示する情報提示部と、
前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える
制御システム。
【請求項１１】
建物において使用される電気機器に所望の動作を行わせるための操作を入力として受け付ける入力部により受け付けた前記操作がユーザに不利益を与える不利益操作であるか否かを判断する判断部と、
前記入力部が受け付けた前記操作が不利益操作であると前記判断部により判断された場合に、前記電気機器の操作に関するアドバイス情報を提示する情報提示部と、
前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える
制御装置。
【請求項１２】
機器操作端末により実行される機器操作方法であって、
建物において使用される電気機器に所望の動作を行わせるための操作を入力として受け付ける入力ステップと、
前記入力ステップで受け付けた前記操作がユーザに不利益を与える不利益操作であるか否かを判断する判断ステップと、
前記入力ステップで受け付けた前記操作が不利益操作であると前記判断ステップで判断された場合に、前記電気機器の操作に関するアドバイス情報を提示する情報提示ステップと、
前記情報提示ステップで前記アドバイス情報を提示した後に前記入力ステップで操作を受け付けると、受け付けた前記操作の対象である前記電気機器に、前記操作の内容に応じた動作を実行させるための制御命令を送信する送信ステップとを含む
機器操作方法。
【請求項１３】
請求項１２に記載の機器操作方法をコンピュータに実行させるためのプログラム。
【発明の詳細な説明】
【技術分野】
【０００１】
本発明は、機器操作端末および機器操作方法に関し、より詳細には、建物において使用される電気機器を操作するための機器操作端末、制御システム、制御装置、機器操作方法、および、プログラムに関する。
【背景技術】
【０００２】
従来、無線ＬＡＮ（Local Area Network）を使って、各種機器を制御するリモートコントロール装置が提案されている（例えば特許文献１参照）。【０００３】
特許文献１に記載のリモートコントロール装置は、ネットワーク接続機器検出アイコンが操作されると、ネットワークに接続されている機器群が検出され、新規検出順に機器をアイコンで表示する。ユーザは、アイコンを操作することで対応する機器を操作することができる。
【先行技術文献】
【特許文献】
【０００４】
【特許文献１】特開２００３−３０９８８４号公報
【発明の概要】
【発明が解決しようとする課題】
【０００５】
上述のリモートコントロール装置を用いて機器を操作する場合、その操作内容がユーザに不利益を与える操作内容（例えば、電力消費を増大させたり、建物の防犯性能を低下させたりする操作内容）であっても、その操作内容にしたがって機器が制御されてしまう。そのため、ユーザに不利益を与えるような操作内容であることに気付かないまま、ユーザがリモートコントロール装置を操作すると、その操作内容にしたがって機器が動作されることで、結果的にユーザに不利益を与えるような動作を機器が行う可能性がある。【０００６】
そこで本発明は、ユーザに不利益を与えるような操作が入力されにくい機器操作端末等を提供することを目的とする。
【課題を解決するための手段】
【０００７】
本発明の一態様に係る機器操作端末は、建物において使用される電気機器に所望の動作を行わせるための操作を入力として受け付ける入力部と、前記入力部が受け付けた前記操作がユーザに不利益を与える不利益操作であるか否かを判断する判断部と、前記入力部が受け付けた前記操作が不利益操作であると前記判断部により判断された場合に、前記電気機器の操作に関するアドバイス情報を提示する情報提示部と、前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える。【０００８】
また、本発明の一態様に係る制御システムは、建物において使用される電気機器と、前記電気機器に制御命令を送信する機器操作端末とを備える制御システムであって、前記機器操作端末は、前記電気機器に所望の動作を行わせるための操作を入力として受け付ける入力部と、前記入力部が受け付けた前記操作がユーザに不利益を与える不利益操作であるか否かを判断する判断部と、前記入力部が受け付けた前記操作が不利益操作であると前記判断部により判断された場合に、前記電気機器の操作に関するアドバイス情報を提示する情報提示部と、前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える。【０００９】
また、本発明の一態様に係る制御装置は、建物において使用される電気機器に所望の動作を行わせるための操作を入力として受け付ける入力部により受け付けた前記操作がユーザに不利益を与える不利益操作であるか否かを判断する判断部と、前記入力部が受け付けた前記操作が不利益操作であると前記判断部により判断された場合に、前記電気機器の操作に関するアドバイス情報を提示する情報提示部と、前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える。【００１０】
また、本発明の一態様に係る機器操作方法は、機器操作端末により実行される機器操作方法であって、建物において使用される電気機器に所望の動作を行わせるための操作を入力として受け付ける入力ステップと、前記入力ステップで受け付けた前記操作がユーザに不利益を与える不利益操作であるか否かを判断する判断ステップと、前記入力ステップで受け付けた前記操作が不利益操作であると前記判断ステップで判断された場合に、前記電気機器の操作に関するアドバイス情報を提示する情報提示ステップと、前記情報提示ステップで前記アドバイス情報を提示した後に前記入力ステップで操作を受け付けると、受け付けた前記操作の対象である前記電気機器に、前記操作の内容に応じた動作を実行させるための制御命令を送信する送信ステップとを含む。
【発明の効果】
【００１１】
本発明によれば、ユーザに不利益を与えるような操作が入力されにくい機器操作端末等を提供することができる。
【図面の簡単な説明】
【００１２】
【図１】図１は、実施の形態の機器操作端末を用いた制御システムのブロック図である。
【図２】図２は、実施の形態の機器操作端末の動作を示すフローチャートである。
【図３】図３は、実施の形態の機器操作端末の、電気機器の消費電力を増加させる不利益操作の判断を含む動作を示すフローチャートである。
【図４】図４は、実施の形態の機器操作端末の別の動作を示すフローチャートである。
【図５】図５は、実施の形態の機器操作端末の別の動作を示すフローチャートである。
【図６】図６は、実施の形態の機器操作端末の別の動作を示すフローチャートである。
【図７】図７は、実施の形態の変形例における制御装置及び情報端末を用いた制御システムのブロック図である。
【発明を実施するための形態】
【００１３】
以下、本実施の形態に係る照明装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置や接続形態、及び、工程（ステップ）や工程の順序などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１４】
（実施の形態）
図１は、本実施の形態の機器操作端末１０を用いた制御システム３の概略的なブロック図である。
【００１５】
制御システム３は、機器操作端末１０と、操作対象の電気機器２０と、関連情報出力部３０と、蓄電装置４０とを備える。制御システム３は、建物１（例えば戸建の住宅や集合住宅の住戸など）において使用される電気機器２０の動作を制御するための制御システムである。
【００１６】
電気機器２０は、建物１において使用される電気機器である。電気機器２０は、建物１内に構築されたＬＡＮを介して機器操作端末１０との間で通信を行う通信機能を備えている。電気機器２０は、動作状態を機器操作端末１０に送信する機能を備えている。また、電気機器２０は、機器操作端末１０により送信される制御命令に応じて、制御命令の制御内容にしたがって動作する機能を備えている。
【００１７】
制御システム３は、電気機器２０として、例えばエアコン２１又は電動サッシ２２を備える。なお、電気機器２０は、エアコン２１又は電動サッシ２２に限定されず、建物１において使用される電気機器であれば、電動ドアでもよいし、防犯システムのコントローラでもよく、その他の電気機器でもよい。また、電気機器２０の台数は２台に限定されず、適宜変更が可能である。
【００１８】
関連情報出力部３０は、建物１の内部又は外部に設置され、電気機器２０の動作に関連する関連情報を出力するセンサ又は制御系のサブシステム（例えば防犯システムなど）である。関連情報出力部３０は、建物１内に構築されたＬＡＮを介して機器操作端末１０との間で通信を行う通信機能を備え、関連情報を機器操作端末１０に送信する。
【００１９】
制御システム３は、関連情報出力部３０として、例えば電力センサ３１、温湿度センサ３２、空気質センサ３３、又は、防犯システム３４を含む。
【００２０】
電力センサ３１は、建物１の全体で使用される使用電力量を測定するセンサである。
【００２１】
温湿度センサ３２は、建物１の内部の温度及び湿度と、建物１の外部の温度及び湿度とのそれぞれを測定するセンサである。
【００２２】
空気質センサ３３は、例えば建物１の外側で空気（外気）の清浄度を測定するセンサである。空気質センサ３３は、例えば半導体式、電気化学式又は固体電解質式などのガスセンサであり、空気中のＣＯ２濃度、又は、臭い物質の濃度を測定することによって、空気の清浄度を測定する。なお、空気質センサ３３は、空気中の微小粒子状物質（いわゆるＰＭ２．５）の濃度を測定するセンサでもよい。また、空気質センサ３３は建物１の内側で空気の清浄度を測定してもよい。
【００２３】
防犯システム３４は、建物１の開口部に設けられた建具（扉又は窓）の開閉状態を検知する防犯センサなどを備える。防犯システム３４は、防犯モードにセットされている状態で防犯センサが異常を検知すると、異常事態の発生を建物１の内部又は外部に報知する。防犯システム３４は、関連情報として、防犯モードにセットされているか否かの情報を出力する。
【００２４】
蓄電装置４０は、ニッケル水素電池又はリチウムイオン電池などの蓄電池と、蓄電池を充放電させる充放電回路と、通信回路とを備える。蓄電装置４０は、充電モード又は放電モードで動作する。蓄電装置４０は、充電モードでは、例えば商用交流電源によって充電される。蓄電装置４０は、電力需要のピーク時又は停電時などに充電モードから放電モードに切り替えられ、蓄えた電力を放電することによって、商用交流電源からの買電電力量を抑制したり、停電時に電気機器２０を動作させたりすることができる。蓄電装置４０の通信回路は、建物１内に構築されたＬＡＮを介して機器操作端末１０との間で通信を行い、蓄電池の残量（蓄電量、又は、ＳＯＣ（State Of Charge）ともいう）を示す残量情報を機器操作端末１０に送信する機能を備える。また蓄電装置４０の充放電回路は、機器操作端末１０により送信される制御命令に応じて、蓄電池を充電させる充電動作、及び、蓄電池を放電させる放電動作の何れかに動作状態を切り替える機能も備えている。
【００２５】
機器操作端末１０は、例えばスマートフォン又はタブレット型のコンピュータのように、特定のユーザが専有的に使用する携帯端末である。なお、機器操作端末１０は、スマートフォン又はタブレット型のコンピュータのような携帯端末に限定されない。機器操作端末１０は、例えばＨＥＭＳ（Home Energy Management System）のＧＵＩ（Graphical User Interface）装置でもよいし、パーソナルコンピュータでもよい。
【００２６】
本実施の形態の機器操作端末１０は、信号処理部１００と、通信部１１０と、表示制御部１２０と、モニタ１３０と、入力部１４０と、記憶部１５０とを備える。
【００２７】
通信部１１０は、建物１に構築されたＬＡＮを介して電気機器２０、関連情報出力部３０、蓄電装置４０との間で通信を行う。また、通信部１１０は、インターネットのような広域ネットワーク６０を介してサーバ５０との間で通信を行う。
【００２８】
モニタ１３０は、バックライト付きの液晶ディスプレイ又はＥＬ（Electro Luminescence）ディスプレイであり、機器操作端末１０を操作したり、機器操作端末１０の動作状態を監視したりするための各種の画面を表示する。
【００２９】
表示制御部１２０は、信号処理部１００から入力される画面データに基づいて、モニタ１３０の表示を制御する。
【００３０】
入力部１４０は、例えばモニタ１３０に組み合わされたタッチパッドのような入力デバイスである。入力部１４０は、例えば操作対象の電気機器２０に所望の動作を行わせるための操作を入力として受け付ける。
【００３１】
記憶部１５０は、ＲＯＭ（Read Only Memory）、ＲＡＭ（Random Access Memory）、又は、ＥＥＰＲＯＭ（Electrically Erasable and Programmable ROM）のような電気的に書き換え可能な不揮発性メモリである。記憶部１５０には、制御プログラム又は各種のアドバイス情報などが格納されている。また記憶部１５０には、機器操作端末１０の主たるユーザを示す識別情報が予め登録されている。この識別情報は、例えば建物１でのエネルギーの需給を管理する権限を有しているユーザであるか、その他のユーザ（以下、標準ユーザという。）であるかを識別するための情報である。
【００３２】
信号処理部１００は、例えば記憶部１５０に格納された制御プログラムを実行することによって所定の機能を実現するマイクロコンピュータである。マイクロコンピュータが制御プログラムを実行することによって、信号処理部１００内の判断部１０１、評価部１０２、情報提示部１０３及び取得部１０４などの機能ブロックが実現される。
【００３３】
取得部１０４は、関連情報出力部３０との通信を通信部１１０に行わせることによって、電気機器２０の動作に関連した関連情報を関連情報出力部３０により取得する。また取得部１０４は、サーバ５０との通信を通信部１１０に行わせることによって、サーバ５０から関連情報を取得する。サーバ５０から取得する関連情報としては、例えば、電力会社が節電を要請するために送信するＤＲ（Demand Response、需要応答）情報などの節電に関する情報（以下、節電情報という）、温湿度の予報情報、又は、空気質の予報情報などがある。
【００３４】
判断部１０１は、入力部１４０が受け付けた操作内容が、ユーザに不利益を与えるような不利益操作であるか否かを判断する。ここで、不利益操作には、例えば、操作前に比べて電気機器２０の消費電力を増加させるような操作、建物１の防犯性能を低下させるような操作、又は、建物１の内部の環境が悪化するような操作が含まれる。これらそれぞれの操作について後で詳しく説明する。なお、以降において、「操作」という場合、上記「操作内容」を意味することもある。
【００３５】
評価部１０２は、入力部１４０が受け付けた操作内容に応じた動作を電気機器２０に実行させることで不利益が発生すると判断された場合に、発生する不利益の程度を評価する。
【００３６】
情報提示部１０３は、入力部１４０が受け付けた操作内容が判断部１０１によって不利益操作であると判断された場合、記憶部１５０に格納されたアドバイス情報をもとに、電気機器２０の操作に関するアドバイス情報を表示するための画面データを作成する。情報提示部１０３は、評価部１０２の評価結果に応じて、アドバイス情報の内容を変化させてもよい。情報提示部１０３は、作成した画面データを表示制御部１２０に出力し、モニタ１３０にアドバイス情報を表示させる。
【００３７】
なお、機器操作端末１０が備える各機能ブロックは、外観上、複数の装置に分散して備えられてもよい。その場合、上記複数の装置は、通信回線により通信可能に接続され、上記複数の装置同士の情報のやりとりは、上記通信回線により行われるものとする。
【００３８】
次に、本実施の形態の機器操作端末１０を用いて電気機器２０を操作する手順を図２に基づいて説明する。
【００３９】
ステップＳ１（入力ステップ）において、ユーザが入力部１４０を操作して、操作対象の電気機器２０に所望の動作を行わせる操作を行うと、入力部１４０は、信号処理部１００に操作内容に応じた操作信号を出力する。
【００４０】
入力部１４０から信号処理部１００に操作信号が入力されると、信号処理部１００の取得部１０４は、操作信号の操作内容に関連した情報（関連情報ともいう）を、電気機器２０、関連情報出力部３０又は蓄電装置４０から取得する。また、信号処理部１００の取得部１０４は、広域ネットワーク６０を介してサーバ５０にアクセスし、サーバ５０からも操作信号の操作内容に関連した関連情報を取得する（ステップＳ２）。
【００４１】
判断部１０１は、入力部１４０が受け付けた操作信号の操作内容と、取得部１０４が取得した関連情報とに基づいて、操作信号の操作内容がユーザに不利益を与えるような不利益操作であるか否かを判断する（ステップＳ３（判断ステップ））。
【００４２】
ステップＳ３において操作信号の操作内容が不利益操作でないと判断部１０１が判断すると（ステップＳ３でＮｏ）、信号処理部１００は、操作内容に応じた制御命令を通信部１１０により操作対象の電気機器２０に送信させる（ステップＳ６）。操作対象の電気機器２０が上記制御命令を受信すると、この電気機器２０は、受信した制御命令に応じた動作を行う。よって、機器操作端末１０は、操作対象の電気機器２０に所望の動作を行わせることができる。
【００４３】
ステップＳ３において操作信号の操作内容が不利益操作であると判断部１０１が判断すると（ステップＳ３でＹｅｓ）、情報提示部１０３は、記憶部１５０に記憶されたアドバイス情報に基づいて、操作対象の電気機器２０の操作に関するアドバイス情報の画像データを作成する。情報提示部１０３は、作成した画像データを表示制御部１２０に出力し、モニタ１３０がアドバイス情報を表示させる（ステップＳ４（情報提示ステップ））。なお、情報提示部１０３は、アドバイス情報をモニタ１３０に表示させると説明したが、アドバイス情報をユーザに提示する方法は、文字又は画像による方法に限定されず、例えばスピーカ（図示せず）により音声で出力する方法でもよい。
【００４４】
ステップＳ４で情報提示部１０３がアドバイス情報を表示したら、入力部１４０は、ユーザからの入力を待ち受ける（ステップＳ５）。情報提示部１０３がアドバイス情報を表示してから所定のウエイト時間が経過するまでの間に、同じ電気機器２０を動作させるための操作が入力部１４０に入力されなければ（ステップＳ５でＮｏ）、アドバイス情報を見たユーザが電気機器２０の操作を断念したと判断される。この場合、信号処理部１００は、入力部１４０から入力された操作信号を破棄し、操作対象の電気機器２０に制御命令を送信せずに、処理を終了する。よって、操作対象の電気機器２０は、現在の動作状態を維持する。
【００４５】
一方、情報提示部１０３がアドバイス情報を表示してからウエイト時間が経過するまでの間に、同じ電気機器２０を動作させるための操作を入力部１４０が受け付けると（ステップＳ５でＹｅｓ）、ユーザが、アドバイス情報を見た上で電気機器２０の操作を指示してきたと判断する。この場合、信号処理部１００は、操作内容に応じた制御命令を通信部１１０により操作対象の電気機器２０に送信させる（ステップＳ６（送信ステップ））。操作対象の電気機器２０が上記制御命令を受信すると、この電気機器２０は、受信した制御命令に応じた動作を行う。よって、機器操作端末１０は、操作対象の電気機器２０に所望の動作を行わせることができる。
【００４６】
以上説明したように、本実施の形態の機器操作端末１０は、入力部１４０と、判断部１０１と、情報提示部１０３と、送信部（信号処理部１００および通信部１１０）とを備える。入力部１４０は、建物１において使用される電気機器２０に所望の動作を行わせるための操作を入力として受け付ける。判断部１０１は、入力部１４０が受け付けた操作がユーザに不利益を与える不利益操作であるか否かを判断する。情報提示部１０３は、入力部１４０が受け付けた操作が不利益操作であると判断部１０１により判断された場合に、電気機器２０の操作に関するアドバイス情報を提示する。送信部は、情報提示部１０３がアドバイス情報を提示した後に入力部１４０が操作を受け付けると、受け付けた操作の対象である電気機器２０に、操作の内容に応じた動作を実行させるための制御命令を送信する。
【００４７】
このように、本実施の形態の機器操作端末１０は、電気機器２０に対する不利益操作がユーザにより入力部１４０を用いて行われると、不利益操作に応じた動作を操作対象の電気機器２０に実行させる前に、情報提示部１０３にアドバイス情報を提示している。したがって、不利益操作を行ったユーザは、提示されたアドバイス情報をもとに不利益操作に応じた動作を電気機器２０に実行させるか否かを判断することができ、不利益操作を断念すれば、操作対象の電気機器２０によって不利益な動作が行われなくなる。一方、不利益操作を行ったユーザが、提示されたアドバイス情報を考慮した上で、入力部１４０を用いて再び操作の入力を行うと、この操作の入力に応じた制御命令が操作対象の電気機器２０に送信されるので、電気機器２０に所望の動作を行わせることができる。よって、不利益操作を行ったユーザに対してアドバイス情報を提示して、不利益操作を実行するか否かをユーザに判断させる機会を設けているから、ユーザが不利益操作であることを認識しないままに、電気機器２０を操作してしまう可能性を低減できる。
【００４８】
ところで、判断部１０１によって不利益操作であると判断される操作には種々の操作があるが、操作前に比べて電気機器２０の消費電力を増加させるような操作を不利益操作であると判断する場合の処理について、図３のフローチャートを参照して説明する。
【００４９】
図３は、本実施の形態の機器操作端末１０の、電気機器２０の消費電力を増加させる不利益操作の判断を含む動作を示すフローチャートである。
【００５０】
ユーザが入力部１４０を操作して、エアコン２１を停止状態から冷房運転状態に切り替える操作を行うと、入力部１４０は、信号処理部１００に操作内容に応じた操作信号を出力する。入力部１４０から信号処理部１００に操作信号が入力されると、信号処理部１００の取得部１０４は、通信部１１０と蓄電装置４０との間で通信を行わせ、関連情報として蓄電装置４０から残量情報を取得する（ステップＳ１１）。また、信号処理部１００の取得部１０４は、通信部１１０とサーバ５０との間で通信を行わせ、サーバ５０から節電情報（例えば電力会社から送信されるＤＲ情報）の有無を取得する（ステップＳ１２）。
【００５１】
判断部１０１は、取得部１０４が取得した情報に基づいて、節電情報が有るか否かを判断する（ステップＳ１３）。
【００５２】
ステップＳ１３において節電情報がない場合（ステップＳ１３でＮｏ）、エアコン２１を冷房運転状態で動作させることによって消費電力が増加しても、ユーザにとって不利益にならないので、判断部１０１は、エアコン２１を冷房運転状態とする操作が不利益操作ではないと判断する。したがって、信号処理部１００は、アドバイス情報の提示が不要であると判断して、エアコン２１を冷房運転状態とする制御命令を作成し、この制御命令を通信部１１０によりエアコン２１に送信させる（ステップＳ２２）。エアコン２１が制御命令を受信すると、エアコン２１は制御命令に応じて冷房運転状態で動作するので、ユーザは機器操作端末１０を用いて操作対象のエアコン２１に所望の動作を行わせることができる。
【００５３】
ステップＳ１３において節電情報がある場合（ステップＳ１３でＹｅｓ）、エアコン２１を冷房運転状態で動作させると、電力会社からの節電情報に反して建物１での消費電力を増加させることになる。消費電力が契約電力を上回ると、電気料金が高くなる可能性もあるので、判断部１０１は、ＤＲ情報が出されている状態でエアコン２１を冷房運転状態で動作させる操作が不利益操作であると判断する。ここで、情報提示部１０３は、記憶部１５０に登録されている識別情報に基づいて、この機器操作端末１０を使用する主たるユーザが管理者であるか否かを判断し（ステップＳ１４）、その判断結果に応じて提示するアドバイス情報を変更する。
【００５４】
ステップＳ１４において、この機器操作端末１０を使用する主たるユーザが管理者ではないと判断された場合（ステップＳ１４でＮｏ）、情報提示部１０３は、例えば「電力会社から節電要請が届いています。管理者権限がないので、現在はエアコンを動作できません。｛ＯＫ｝」とのアドバイス情報を表示させる画像データを作成する。なおアドバイス情報の中の｛｝でくくった部分は、ユーザが操作可能なアイコン（言い換えれば、ユーザによる操作の対象となるアイコン）に表示される文字を示している。
【００５５】
情報提示部１０３は、この画像データを表示制御部１２０に出力し、モニタ１３０に表示させる（ステップＳ１５）。信号処理部１００は、アドバイス情報をモニタ１３０に表示させてから、一定時間が経過するか、又は、ユーザが入力部１４０を用いて｛ＯＫ｝のアイコンを操作すると、アドバイス情報の表示を停止させ、処理を終了する。
【００５６】
ステップＳ１４において、この機器操作端末１０を使用する主たるユーザが管理者であると判断された場合（ステップＳ１４でＹｅｓ）、情報提示部１０３は、入力部１４０が蓄電装置４０から取得した残量情報に基づいて、蓄電池の残量が閾値以上か否かを判断し（ステップＳ１６）、その判断結果に応じてアドバイス情報の内容を変更する。なお、例えば、記憶部１５０には、蓄電池の残量の閾値として、満充電時の５０％の値が設定されている。
【００５７】
ステップＳ１６において蓄電池の残量が閾値未満であった場合（ステップＳ１６でＮｏ）、情報提示部１０３は、例えば「電力会社から節電要請が届いています。蓄電池残量も足りていません。｛制御する｝｛制御しない｝」とのアドバイス情報を表示させる画像データを作成する。情報提示部１０３は、この画像データを表示制御部１２０に出力し、モニタ１３０に表示させる（ステップＳ１７）。このアドバイス情報を確認したユーザが、｛制御しない｝のアイコンを操作すると（ステップＳ２１でＮｏ）、信号処理部１００は、入力部１４０が受け付けた操作にしたがって、エアコン２１を制御することなく、処理を終了する。一方、アドバイス情報を確認したユーザが、｛制御する｝のアイコンを操作すると（ステップＳ２１でＹｅｓ）、信号処理部１００は、入力部１４０が受け付けた操作にしたがって、エアコン２１を冷房運転状態とする制御命令を作成する。信号処理部１００は、この制御命令を通信部１１０によりエアコン２１に送信させ（ステップＳ２２）、エアコン２１を冷房運転状態で動作させる。
【００５８】
ステップＳ１６において蓄電池の残量が閾値以上であった場合（ステップＳ１６でＹｅｓ）、情報提示部１０３は、例えば「電力会社から節電要請が届いています。｛制御する｝｛制御しない｝｛蓄電池の電力を使って制御する｝」とのアドバイス情報を表示させる画像データを作成する。情報提示部１０３は、この画像データを表示制御部１２０に出力し、モニタ１３０に表示させる（ステップＳ１８）。アドバイス情報を確認したユーザが、｛蓄電池の電力を使って制御する｝のアイコンを操作すると（ステップＳ１９でＹｅｓ）、信号処理部１００は、蓄電装置４０を放電モードとする制御命令を作成し、この制御命令を通信部１１０から蓄電装置４０に送信させる。また、信号処理部１００は、エアコン２１を冷房運転状態とする制御命令を作成し、この制御命令を通信部１１０によりエアコン２１に送信させる（ステップＳ２０）。これにより、蓄電装置４０が放電モードで動作し、蓄電池を放電させるから、エアコン２１は、蓄電装置４０により放電された電力を利用して、冷房運転状態で動作する。したがって、商用電源系統からの買電電力をそれほど増やさずに、エアコン２１を冷房運転状態で動作させることができる。
【００５９】
また、ステップＳ１８のアドバイス情報を確認したユーザが、蓄電池の電力を使わずに制御する操作を行った場合、すなわち｛制御する｝のアイコンを操作した場合（ステップＳ１９でＮｏ、ステップＳ２１でＹｅｓ）、信号処理部１００は上述したステップＳ２２の処理を行う。
【００６０】
また、ステップＳ１８のアドバイス情報を確認したユーザが、｛制御しない｝のアイコンを操作した場合（ステップＳ１９でＮｏ、ステップＳ２１でＮｏ）、信号処理部１００は、入力部１４０が受け付けた入力操作にしたがって、エアコン２１を制御することなく、処理を終了する。
【００６１】
このように、本実施の形態の機器操作端末１０において、不利益操作とは、入力部１４０が受け付けた操作内容に応じた動作を電気機器２０に実行させる前に比べて、電気機器２０の消費電力を増加させるような操作内容であってもよい。これにより、電気機器２０の消費電力を増加させるような不利益操作が行われた場合にはアドバイス情報が提示されるから、ユーザが消費電力を増加させるような不利益操作を行ったことを当該ユーザに認識させることができる。
【００６２】
例えば、エアコン２１が冷房運転している状態で設定温度を適正温度よりも下げる操作が行われた場合、判断部１０１は、この操作内容に応じた動作を実行させる前に比べて、エアコン２１の消費電力が増加するから、この操作が不利益操作であると判断する。エアコン２１の操作が不利益操作であると判断されると、情報提示部１０３は、例えば「エアコンの設定温度を適正温度よりも下げると、消費電力が増加しますが、設定温度を下げても良いですか？」といったアドバイス情報をモニタ１３０に表示させる。モニタ１３０に表示されたアドバイス情報を見たユーザが、設定温度を下げる操作を断念し、入力部１４０を用いて設定温度を下げる操作を再び行わない場合、信号処理部１００は、入力部１４０から入力された操作信号を破棄し、電気機器２０を制御しない。一方、モニタ１３０に表示されたアドバイス情報を見たユーザが、設定温度を下げる操作を再度行うと、信号処理部１００は、操作信号の操作内容に応じた制御命令を操作対象のエアコン２１に送信し、エアコン２１に所望の動作を行わせる。
【００６３】
また、機器操作端末１０は、さらに、主たるユーザを示す識別情報が予め登録された記憶部１５０を備え、情報提示部１０３は、識別情報に応じてアドバイス情報の内容を変化させてもよい。ユーザに応じてアドバイス情報の内容を変えているので、操作を行ったユーザに合わせたアドバイス情報を提供できる。本実施の形態では、ユーザが、建物１でのエネルギーの需給を管理する権限をもった管理者であるか否かに応じて、アドバイス情報の内容を変えており、管理者のユーザには、その権限に応じたアドバイス情報を提示することができる。
【００６４】
また、機器操作端末１０は、さらに、建物１に設置されて放電時に電気機器２０に電力を供給する蓄電池（蓄電装置４０）の残量情報を取得する取得部１０４を備えてもよい。そして、情報提示部１０３は、残量情報に基づいてアドバイス情報の内容を変化させてもよい。
【００６５】
情報提示部１０３は、蓄電池の残量情報に応じてアドバイス情報を変化させることができるので、機器操作端末１０を操作したユーザに、状況に応じた適切なアドバイス情報を提示することができる。
【００６６】
また、機器操作端末１０において、情報提示部１０３は、残量情報から求めた蓄電池（蓄電装置４０）の残量が閾値以上である場合、蓄電池を放電させるか否かを選択させる内容を提示してもよい。
【００６７】
蓄電池の残量に余裕がある場合には、蓄電池を放電させるか否かを選択させるアドバイス情報を提示することで、蓄電池の電力の有効利用を図り、状況に応じて適切なアドバイス情報をユーザに提示できる。
【００６８】
ところで、図３のフローチャートは、操作前に比べて消費電力を増加させるような操作を不利益操作であると判断する場合の処理について示しているが、発生する不利益の程度に応じてアドバイス情報を変更してもよい。この場合の処理について図４のフローチャートを参照して説明する。
【００６９】
ユーザが入力部１４０を操作して、エアコン２１を停止状態から冷房運転状態に切り替える操作を行うと、入力部１４０は、信号処理部１００に操作内容に応じた操作信号を出力する。入力部１４０から信号処理部１００に操作信号が入力されると、信号処理部１００の取得部１０４は、通信部１１０と電力センサ３１との間で通信を行わせ、電力センサ３１から１日（当日分）の消費電力量の情報を通信部１１０により取得させる（ステップＳ３１）。ここで、記憶部１５０には、不利益操作であるか否かを判断する消費電力量の閾値として、１日の目標消費電力量の８０％の値（例えば８ｋＷｈ）が登録されているとする。また記憶部１５０には、不利益の程度を判断する基準レベルとして、１日の目標消費電力量の値（例えば１０ｋＷｈ）が登録されているとする。
【００７０】
判断部１０１及び評価部１０２は、取得部１０４が取得した１日の消費電力量が、記憶部１５０に登録された１日の目標消費電力量（上記の基準レベル）以上であるか否かを判定する（ステップＳ３２）。
【００７１】
ステップＳ３２において１日の消費電力量が目標消費電力量以上であると判断された場合（ステップＳ３２でＹｅｓ）、判断部１０１は、上記操作が不利益操作であると判断し、評価部１０２は、不利益の程度が基準レベル以上であると判断する。評価部１０２が不利益の程度を基準レベル以上であると判断した場合、情報提示部１０３は、「１日の消費電力量が目標を超えています。現在はエアコンを動作させることが出来ません。｛ＯＫ｝」とのアドバイス情報を表示させる画像データを作成する。情報提示部１０３は、この画像データを表示制御部１２０に出力し、モニタ１３０に表示させる（ステップＳ３３）。また信号処理部１００は、入力部１４０から操作信号が入力されても制御命令を送信せず、電気機器２０を動作させない。信号処理部１００は、アドバイス情報をモニタ１３０に表示させてから、一定時間が経過するか、又は、ユーザが入力部１４０を用いて｛ＯＫ｝のアイコンを操作すると、アドバイス情報の表示を停止させ、処理を終了する。
【００７２】
ステップＳ３２において１日の消費電力量が目標消費電力量未満であると判断された場合（ステップＳ３２でＮｏ）、判断部１０１は１日の消費電力量が、記憶部１５０に登録された消費電力量の閾値以上であるか否かを判定する（ステップＳ３４）。
【００７３】
ステップＳ３４において、１日の消費電力量が閾値以上であると判断された場合（ステップＳ３４でＹｅｓ）、判断部１０１は、上記操作が不利益操作であると判断し、評価部１０２は不利益の程度が基準レベルよりも低いと判断する。この場合、情報提示部１０３は、１日の消費電力量が目標消費電力量以上であった場合とは異なるアドバイス情報、例えば不利益の程度を緩和するための対応策を含むアドバイス情報を作成する。情報提示部１０３は、例えば「１日の消費電力量が目標の８割を超えています。｛制御する｝｛制御しない｝」とのアドバイス情報を表示させる画像データを作成し、この画像データを表示制御部１２０に出力して、モニタ１３０に表示させる（ステップＳ３５）。このように、情報提示部１０３は、不利益の程度を緩和するための対応策として、エアコンを制御しないという選択肢を提示しており、ユーザがエアコンを制御しないという選択肢を選択することで不利益の程度を緩和することができる。なお、不利益の程度を緩和するための対応策は、制御対象の電気機器２０を動作させないことを推奨するアドバイス情報に限定されない。不利益の程度を緩和するための対応策は、入力部１４０の操作内容に応じた動作を電気機器２０に実行させる場合に比べて、消費電力が小さくなるような運転状態で電気機器２０を動作させることを推奨するアドバイス情報でもよい。例えばエアコンを冷房運転させる場合に、冷房の設定温度を上げるような対応策をアドバイス情報として提示してもよい。
【００７４】
ステップＳ３５のアドバイス情報を確認したユーザが、｛制御しない｝のアイコンを操作すると（ステップＳ３６でＮｏ）、信号処理部１００はエアコン２１を制御することなく、処理を終了する。一方、ステップＳ３５のアドバイス情報を確認したユーザが、｛制御する｝のアイコンを操作すると（ステップＳ３６でＹｅｓ）、信号処理部１００は入力部１４０が受け付けた操作にしたがって、エアコン２１を冷房運転状態とする制御命令を作成する。信号処理部１００は、この制御命令を通信部１１０によりエアコン２１に送信させ（ステップＳ３７）、エアコン２１を冷房運転状態で動作させる。
【００７５】
ステップＳ３４において１日の消費電力量が閾値未満であると判断された場合（ステップＳ３４でＮｏ）、判断部１０１は、上記操作が不利益操作ではなく、アドバイス情報の提示が不要であると判断し、エアコン２１の冷房運転を許可する。すなわち、信号処理部１００は、エアコン２１を冷房運転状態とする制御命令を作成し、この制御命令を通信部１１０によりエアコン２１に送信させて（ステップＳ３７）、エアコン２１を冷房運転状態で動作させる。
【００７６】
なお、ステップＳ３４において、信号処理部１００が、記憶部１５０に登録された識別情報をもとに、ユーザが管理者か否かを判断してもよい。ユーザが管理者であった場合、信号処理部１００は、蓄電装置４０から取得した蓄電池の残量と、残量の閾値との大小とを判断し、その判断結果に応じてアドバイス情報の内容を変化させてもよい。
【００７７】
すなわち、蓄電池の残量が閾値未満であった場合、情報提示部１０３は、例えば「電力会社から節電要請が届いています。蓄電池残量も足りていません。｛制御する｝｛制御しない｝」とのアドバイス情報を表示させる画像データを作成する。情報提示部１０３は、この画像データを表示制御部１２０に出力して、モニタ１３０に表示させる。このアドバイス情報を確認したユーザが、｛制御しない｝のアイコンを操作すると、信号処理部１００は、エアコン２１を制御することなく、処理を終了する。一方、アドバイス情報を確認したユーザが、｛制御する｝のアイコンを操作すると、信号処理部１００は入力部１４０が受け付けた操作にしたがって、エアコン２１を冷房運転状態とする制御命令を作成する。信号処理部１００は、この制御命令を通信部１１０により操作対象のエアコン２１に送信させ、操作対象のエアコン２１を冷房運転状態で動作させる。
【００７８】
このように、機器操作端末１０は、入力部１４０が受け付けた操作の内容に応じた動作を電気機器２０に実行させることで発生する不利益の程度を評価する評価部１０２を備えてもよい。そして、情報提示部１０３は、評価部１０２の評価結果に応じて、アドバイス情報の内容を変化させるように構成されてもよい。評価部１０２が不利益の程度を評価した結果に応じて、情報提示部１０３がアドバイス情報の内容を変化させているので、不利益操作を行ったユーザに、発生する不利益の程度を認識させることができる。
【００７９】
また、情報提示部１０３は、（ｉ）評価部１０２が評価した不利益の程度が基準レベル以上である場合、入力部１４０が受け付けた操作の内容に応じた動作を電気機器２０に実行させない旨のアドバイス情報を提示し、（ｉｉ）評価部１０２が評価した不利益の程度が基準レベルよりも低い場合、不利益の程度を緩和するための対応策をアドバイス情報として提示してもよい。また、送信部は、評価部１０２が評価した不利益の程度が基準レベル以上である場合、制御命令の送信を停止してもよい。
【００８０】
このように、不利益の程度が基準レベル以上の場合、信号処理部１００は制御命令の送信を停止するから、入力部１４０が受け付けた操作内容に応じた動作を電気機器２０に実行させることで、基準レベル以上の不利益が発生するのを回避できる。また、情報提示部１０３は、入力部１４０が受け付けた操作内容に応じた動作を実行させない旨のアドバイス情報を提示するから、入力部１４０を操作しても電気機器２０が動作しないことを電気機器２０の故障であるとユーザが勘違いしにくくなる。さらに、不利益の程度が基準レベルよりも低ければ、情報提示部１０３は、不利益の程度を緩和するための対応策をアドバイス情報として提示するから、提示された緩和策をユーザが実行することで、不利益の程度を小さくすることができる。
【００８１】
次に、建物１の防犯性能を低下させるような操作を不利益操作であると判断する場合の処理を図５に基づいて説明する。
【００８２】
ユーザが入力部１４０を操作して、電動サッシ２２を閉状態から開状態に切り替える操作を行うと、入力部１４０は、信号処理部１００に操作内容に応じた操作信号を出力する。入力部１４０から信号処理部１００に操作信号が入力されると、信号処理部１００の取得部１０４は、通信部１１０と防犯システム３４との間で通信を行わせ、防犯システム３４から、防犯システム３４が防犯モードにセットされているか否かを示す情報（防犯セット情報）を取得させる（ステップＳ４１）。
【００８３】
判断部１０１は、取得部１０４が取得した情報をもとに、防犯システム３４が防犯モードにセットされているか否かを判断し（ステップＳ４２）、その判断結果をもとに、電動サッシ２２を開ける操作が不利益操作であるか否かを判断する。
【００８４】
ここで、ステップＳ４２において、防犯システム３４が防犯モードにセットされていると判断されると（ステップＳ４２でＹｅｓ）、判断部１０１は、電動サッシ２２を開ける操作が防犯性能を低下させる不利益操作であると判断する。情報提示部１０３は、例えば「防犯セット中です。現在は電動サッシを動作させることが出来ません。｛ＯＫ｝」とのアドバイス情報を表示させる画像データを作成する。情報提示部１０３は、作成した画像データを表示制御部１２０に出力して、モニタ１３０に表示させる（ステップＳ４３）。信号処理部１００は、アドバイス情報をモニタ１３０に表示させてから、一定時間が経過するか、又は、ユーザが入力部１４０を用いて｛ＯＫ｝のアイコンを操作すると、アドバイス情報の表示を停止させ、処理を終了する。
【００８５】
なお、アドバイス情報を確認したユーザが、電動サッシ２２を開ける操作を再び行った場合には、信号処理部１００は、再度の操作信号にしたがって、電動サッシ２２を開ける制御命令を通信部１１０により電動サッシ２２に送信してもよい。電動サッシ２２を開ける操作が不利益操作であると認識した上でユーザが電動サッシ２２を開ける操作を行ったのであれば、信号処理部１００は、その操作信号にしたがって電動サッシ２２を開けており、ユーザの所望する動作を電動サッシ２２に行わせることができる。
【００８６】
一方、ステップＳ４２において、防犯システム３４が防犯モードにセットされていないと判断されると（ステップＳ４２でＮｏ）、判断部１０１は、電動サッシ２２を開ける操作が不利益操作ではないと判断し、情報提示部１０３にアドバイス情報を表示させない。そして、信号処理部１００は、電動サッシ２２を開ける制御命令を作成し、この制御命令を通信部１１０により電動サッシ２２に送信させ、操作対象の電動サッシ２２を開けさせることができる（ステップＳ４４）。
【００８７】
このように、本実施の形態の機器操作端末１０において、不利益操作とは、入力部１４０が受け付けた操作内容に応じた動作を電気機器２０に実行させる前に比べて、建物１の防犯性能が低下するような操作内容であるとしてもよい。これにより、建物１の防犯性能を低下させるような不利益操作が行われた場合にはアドバイス情報が提示されるから、建物１の防犯性能を低下させるような不利益操作をユーザが行ったことを、ユーザに認識させることができる。
【００８８】
次に、建物１の内部の環境が悪化するような操作を不利益操作であると判断する場合の処理を図６に基づいて説明する。
【００８９】
ユーザが入力部１４０を操作して、電動サッシ２２を閉状態から開状態に切り替える操作を行うと、入力部１４０は、信号処理部１００に操作内容に応じた操作信号を出力する。入力部１４０から信号処理部１００に操作内容に応じた操作信号が入力されると、信号処理部１００の取得部１０４は、通信部１１０と温湿度センサ３２及び空気質センサ３３との間で通信を行わせる。そして、取得部１０４は、通信部１１０を用いて温湿度センサ３２及び空気質センサ３３から外気の空気質情報を取得させる（ステップＳ５１）。本実施の形態では、外気の空気質情報として、温湿度センサ３２から外気の温度が取得され、空気質センサ３３から外気中の微小粒子状物質の濃度及びＣＯ２濃度が取得される。
【００９０】
判断部１０１は、取得部１０４が取得した外気の空気質情報をもとに、外気の空気質情報が、空気質の閾値以上であるか否かを判断し（ステップＳ５２）、その判断結果をもとに、電動サッシ２２を開ける操作が不利益操作であるか否かを判断する。なお、記憶部１５０には、空気質の閾値として、例えば微小粒子状物質の濃度であれば７０μｇ／ｍ３が登録され、ＣＯ２濃度であれば１０００ｐｐｍが登録され、温度であれば例えば３８度Ｃが登録されているとする。
【００９１】
ステップＳ５２において、空気質の評価項目である温度、微小粒子状物質の濃度、ＣＯ２濃度の全てが閾値未満であると判断されると（ステップＳ５２でＮｏ）、判断部１０１は、電動サッシ２２を開ける操作が不利益操作ではないと判断する。この場合、信号処理部１００は、アドバイス情報を提示させることなく、当該操作にしたがって電動サッシ２２を開ける制御命令を作成する。信号処理部１００は、作成した制御命令を通信部１１０により電動サッシ２２に送信させ（ステップＳ５５）、電動サッシ２２を閉状態から開状態に動作させる。
【００９２】
一方、空気質の評価項目である温度、微小粒子状物質の濃度、ＣＯ２濃度のうち何れか１つでも閾値以上であると判断されると（ステップＳ５２でＹｅｓ）、判断部１０１は、電動サッシ２２を開ける操作が建物１の内部の環境を悪化させる不利益操作であると判断する。情報提示部１０３は、例えば「宅外の空気質が閾値を越えています。このまま電動サッシを開きますか？｛制御する｝｛制御しない｝」とのアドバイス情報を表示させる画像データを作成する。情報提示部１０３は、作成した画像データを表示制御部１２０に出力して、モニタ１３０に表示させる（ステップＳ５３）。
【００９３】
アドバイス情報を表示してから所定のウエイト時間が経過するまでの間に、電動サッシ２２を開ける操作が入力部１４０に再び入力されなければ（ステップＳ５４でＮｏ）、アドバイス情報を見たユーザが電気機器２０の操作を断念したと判断される。この場合、信号処理部１００は、入力部１４０から入力された操作信号を破棄し、操作対象の電気機器２０に制御命令を送信せずに、処理を終了するので、電動サッシ２２は閉じたままとなる。したがって、閾値以上に汚れている外気が建物１の内部に積極的に取り込まれなくなり、建物１の内部の環境が悪化する可能性を低減できる。
【００９４】
一方、アドバイス情報を表示してからウエイト時間が経過するまでの間に、電動サッシ２２を開けるための操作を入力として入力部１４０が受け付けると（ステップＳ５４でＹｅｓ）、信号処理部１００は、受け付けた操作にしたがって電動サッシ２２を開ける制御命令を作成する。信号処理部１００は、作成した制御命令を通信部１１０により電動サッシ２２に送信させる（ステップＳ５５）。電動サッシ２２は制御命令を受信すると、サッシを開けるので、外気が建物１の内部に導入される。このように、アドバイス情報を表示させた後に電動サッシ２２を開ける操作を受け付けた場合、ユーザは、不利益操作であると認識した上で、電動サッシ２２を開ける操作を行ったと判断できる。したがって、信号処理部１００は、入力部１４０が受け付けた操作内容に基づいて電動サッシ２２を開けており、ユーザの所望する動作を電動サッシ２２に行わせることができる。
【００９５】
このように、本実施の形態の機器操作端末１０において、不利益操作とは、入力部１４０が受け付けた操作内容に応じた動作を実行させる前に比べて、建物１の内部の環境が悪化するような操作内容であるとしてもよい。これにより、建物１の内部の環境が悪化するような不利益操作が行われた場合にはアドバイス情報が提示されるから、建物１の内部の環境を悪化させるような不利益操作を行ったことをユーザに認識させることができる。
【００９６】
（実施の形態の変形例）
本変形例において、上記実施の形態における機器操作端末１０が、制御装置及び情報端末により実現される構成を説明する。図７は、実施の形態の変形例における制御装置１０Ａ及び情報端末１０Ｂを用いた制御システム３Ａのブロック図である。
【００９７】
図７に示されるように、制御システム３Ａは、制御装置１０Ａと、情報端末１０Ｂとを備える。
【００９８】
制御装置１０Ａは、信号処理部１００と、通信部１１０と、表示制御部１２０と、記憶部１５０とを備える。また、情報端末１０Ｂは、モニタ１３０と、入力部１４０とを備える。上記各構成要素は、実施の形態における同名の構成要素と同じ機能を有する。ただし、制御装置１０Ａと情報端末１０Ｂとは、通信回線により通信可能に接続され、制御装置１０Ａと情報端末１０Ｂとの情報のやり取りは上記通信回線により行われるものとする。
【００９９】
制御装置１０Ａ及び情報端末１０Ｂが、実施の形態における機器操作端末１０と同様の機能を発揮することにより、制御システム３Ａは、制御システム３と同様の効果を奏する。
【０１００】
なお、本変形例において、表示制御部１２０が制御装置１０Ａに備えられている構成を説明したが、その代わりに、表示制御部１２０が情報端末１０Ｂに備えられていてもよい。表示制御部１２０がＷｅｂサーバ機能を有し、情報端末１０ＢがＷｅｂサーバとしての表示制御部１２０にＨＴＴＰ（Ｈｙｐｅｒｔｅｘｔ  Ｔｒａｎｓｆｅｒ  Ｐｒｏｔｏｃｏｌ）でアクセスする場合には、本変形例で示したように制御装置１０Ａが表示制御部１２０を備え、表示制御部１２０がモニタ１３０に表示する画像に相当するＨＴＭＬ（Ｈｙｐｅｒｔｅｘｔ  Ｍａｒｋｕｐ  Ｌａｎｇｕａｇｅ）を生成する。一方、情報端末１０Ｂが実行するアプリケーションによる処理によりモニタ１３０に表示する内容を作成する場合には、情報端末１０Ｂが表示制御部１２０を備え、表示制御部１２０がモニタ１３０に表示する画像を描画するための情報を生成する。
【０１０１】
以上のように、本実施の形態の制御システム３等は、建物１において使用される電気機器２０と、電気機器２０に制御命令を送信する機器操作端末１０とを備える制御システム３等であって、機器操作端末１０は、電気機器２０に所望の動作を行わせるための操作を入力として受け付ける入力部１４０と、入力部１４０が受け付けた操作がユーザに不利益を与える不利益操作であるか否かを判断する判断部１０１と、入力部１４０が受け付けた操作が不利益操作であると判断部１０１により判断された場合に、電気機器２０の操作に関するアドバイス情報を提示する情報提示部１０３と、情報提示部１０３がアドバイス情報を提示した後に入力部１４０が操作を受け付けると、受け付けた操作の対象である電気機器２０に、操作の内容に応じた動作を実行させるための制御命令を送信する送信部（信号処理部１００および通信部１１０）とを備える。
【０１０２】
本実施の形態の制御システム３等は、上記機器操作端末１０と同様の効果を奏する。
【０１０３】
また、本実施の形態の制御装置１０Ａは、建物１において使用される電気機器２０に所望の動作を行わせるための操作を入力として受け付ける入力部１４０により受け付けた操作がユーザに不利益を与える不利益操作であるか否かを判断する判断部１０１と、入力部１０１が受け付けた操作が不利益操作であると判断部１０１により判断された場合に、電気機器２０の操作に関するアドバイス情報を提示する情報提示部１０３と、情報提示部１０３がアドバイス情報を提示した後に入力部１４０が操作を受け付けると、受け付けた操作の対象である電気機器２０に、操作の内容に応じた動作を実行させるための制御命令を送信する送信部（信号処理部１００および通信部１１０）とを備える。
【０１０４】
本実施の形態の制御システム３等は、上記機器操作端末１０と同様の効果を奏する。
【０１０５】
なお、上記各実施の形態における機器操作端末は、コンピュータがプログラムを実行することにより実現されてもよい。このプログラムが実行するプログラムは、コンピュータに、機器操作端末により実行される機器操作方法であって、建物において使用される電気機器に所望の動作を行わせるための操作を入力として受け付ける入力ステップと、前記入力ステップで受け付けた前記操作がユーザに不利益を与える不利益操作であるか否かを判断する判断ステップと、前記入力ステップで受け付けた前記操作が不利益操作であると前記判断ステップで判断された場合に、前記電気機器の操作に関するアドバイス情報を提示する情報提示ステップと、前記情報提示ステップで前記アドバイス情報を提示した後に前記入力ステップで操作を受け付けると、受け付けた前記操作の対象である前記電気機器に、前記操作の内容に応じた動作を実行させるための制御命令を送信する送信ステップとを含む機器操作方法を実行させるプログラムである。
【０１０６】
なお、このプログラムは、コンピュータが読み取り可能な記録媒体に記録されてもよく、当該コンピュータは、記録媒体から読み取ったプログラムを実行することで機器操作端末として動作し得る。
【符号の説明】
【０１０７】
１  建物
３、３Ａ  制御システム
１０  機器操作端末
１０Ａ  制御装置
２０  電気機器
１００  信号処理部（送信部）
１０１  判断部
１０２  評価部
１０３  情報提示部
１０４  取得部
１１０  通信部（送信部）
１４０  入力部
１５０  記憶部
【図１】
2016038894.tif 000003
【図２】
2016038894.tif 000004
【図３】
2016038894.tif 000005
【図４】
2016038894.tif 000006
【図５】
2016038894.tif 000007
【図６】
2016038894.tif 000008
【図７】
2016038894.tif 000009
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
機器操作端末により実行される機器操作方法であって、
建物において使用される電気機器に所望の動作を行わせるための操作を入力として受け付ける入力ステップと、
前記入力ステップで受け付けた前記操作がユーザに不利益を与える不利益操作である場合に、前記電気機器の操作に関するアドバイス情報を提示する情報提示ステップと、
前記情報提示ステップで前記アドバイス情報を提示した後に前記入力ステップで操作を受け付けると、受け付けた前記操作の対象である前記電気機器に、前記操作の内容に応じた動作を実行させるための制御命令を送信する送信ステップとを含む
機器操作方法。
【請求項２】
前記不利益操作は、前記入力ステップで受け付けた前記操作の内容に応じた動作を前記電気機器に実行させる前に比べて、前記電気機器の消費電力を増加させるような操作である
請求項１に記載の機器操作方法。
【請求項３】
前記不利益操作は、前記入力ステップで受け付けた前記操作の内容に応じた動作を前記電気機器に実行させる前に比べて、前記建物の防犯性能が低下するような操作である
請求項１に記載の機器操作方法。
【請求項４】
前記不利益操作は、前記入力ステップで受け付けた前記操作の内容に応じた動作を前記電気機器に実行させる前に比べて、前記建物の内部の環境が悪化するような操作である
請求項１に記載の機器操作方法。
【請求項５】
前記情報提示ステップは、
（ｉ）前記不利益の程度が基準レベル以上である場合、前記入力ステップで受け付けた前記操作の内容に応じた動作を前記電気機器に実行させない旨の前記アドバイス情報を提示し、
（ｉｉ）前記不利益の程度が前記基準レベルよりも低い場合、不利益の程度を緩和するための対応策を前記アドバイス情報として提示する
請求項１〜４の何れか１項に記載の機器操作方法。
【請求項６】
前記情報提示ステップは、主たるユーザの識別情報に応じて前記アドバイス情報の内容を変化させる
請求項１〜５の何れか１項に記載の機器操作方法。
【請求項７】
前記情報提示ステップでは、前記建物に設置されて放電時に前記電気機器に電力を供給する蓄電池の残量情報に基づいて前記アドバイス情報の内容を変化させる
請求項１〜６の何れか１項に記載の機器操作方法。
【請求項８】
前記情報提示ステップでは、前記残量情報から求めた前記蓄電池の残量が閾値以上である場合、前記蓄電池を放電させるか否かを選択させる内容を提示する
請求項７に記載の機器操作方法。
【請求項９】
請求項１〜８のいずれか１項に記載の機器操作方法をコンピュータに実行させるためのプログラム。
【請求項１０】
建物において使用される電気機器と、前記電気機器に制御命令を送信する機器操作端末とを備える制御システムであって、
前記機器操作端末は、
前記電気機器に所望の動作を行わせるための操作を入力として受け付ける入力部と、
前記入力部が受け付けた前記操作がユーザに不利益を与える不利益操作であるか否かを判断する判断部と、
前記入力部が受け付けた前記操作が不利益操作であると前記判断部により判断された場合に、前記電気機器の操作に関するアドバイス情報を提示する情報提示部と、
前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える
制御システム。
【請求項１１】
建物において使用される電気機器に所望の動作を行わせるための操作を入力として受け付ける入力部により受け付けた前記操作がユーザに不利益を与える不利益操作であるか否かを判断する判断部と、
前記入力部が受け付けた前記操作が不利益操作であると前記判断部により判断された場合に、前記電気機器の操作に関するアドバイス情報を提示する情報提示部と、
前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える
制御装置。
【請求項１２】
請求項１１に記載の制御装置と前記電気機器とを備える制御システム。
【請求項１３】
建物において使用される電気機器に所望の動作を行わせるための操作を入力として受け付ける入力部と、
前記入力部が受け付けた前記操作がユーザに不利益を与える不利益操作である場合に、前記電気機器の操作に関するアドバイス情報を提示する情報提示部と、
前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える
機器操作端末。
【手続補正２】
【補正対象書類名】明細書
【補正対象項目名】００１０
【補正方法】変更
【補正の内容】
【００１０】
また、本発明の一態様に係る機器操作方法は、機器操作端末により実行される機器操作方法であって、建物において使用される電気機器に所望の動作を行わせるための操作を入力として受け付ける入力ステップと、前記入力ステップで受け付けた前記操作がユーザに不利益を与える不利益操作であるか否かを判断する判断ステップと、前記入力ステップで受け付けた前記操作が不利益操作であると前記判断ステップで判断された場合に、前記電気機器の操作に関するアドバイス情報を提示する情報提示ステップと、前記情報提示ステップで前記アドバイス情報を提示した後に前記入力ステップで操作を受け付けると、受け付けた前記操作の対象である前記電気機器に、前記操作の内容に応じた動作を実行させるための制御命令を送信する送信ステップとを含む。
また、本発明の一態様に係る機器操作方法は、機器操作端末により実行される機器操作方法であって、建物において使用される電気機器に所望の動作を行わせるための操作を入力として受け付ける入力ステップと、前記入力ステップで受け付けた前記操作がユーザーに不利益を与える不利益操作である場合に、前記電気機器の操作に関するアドバイス情報を提示する情報提示ステップと、前記情報提示ステップで前記アドバイス情報を提示した後に前記入力ステップで操作を受け付けると、受け付けた前記操作の対象である前記電気機器に、前記操作の内容に応じた動作を実行させるための制御命令を送信する送信ステップとを含む。
また、前記不利益操作は、前記入力ステップで受け付けた前記操作の内容に応じた動作を前記電気機器に実行させる前に比べて、前記電気機器の消費電力を増加させるような操作であってもよい。
また、前記不利益操作は、前記入力ステップで受け付けた前記操作の内容に応じた動作を前記電気機器に実行させる前に比べて、前記建物の防犯性能が低下するような操作であってもよい。
また、前記不利益操作は、前記入力ステップで受け付けた前記操作の内容に応じた動作を前記電気機器に実行させる前に比べて、前記建物の内部の環境が悪化するような操作であってもよい。
また、前記情報提示ステップは、（ｉ）前記不利益の程度が基準レベル以上である場合、前記入力ステップで受け付けた前記操作の内容に応じた動作を前記電気機器に実行させない旨の前記アドバイス情報を提示し、（ｉｉ）前記不利益の程度が前記基準レベルよりも低い場合、不利益の程度を緩和するための対応策を前記アドバイス情報として提示してもよい。
また、前記情報提示ステップは、主たるユーザの識別情報に応じて前記アドバイス情報の内容を変化させてもよい。
また、前記情報提示ステップでは、前記建物に設置されて放電時に前記電気機器に電力を供給する蓄電池の残量情報に基づいて前記アドバイス情報の内容を変化させてもよい。
また、前記情報提示ステップでは、前記残量情報から求めた前記蓄電池の残量が閾値以上である場合、前記蓄電池を放電させるか否かを選択させる内容を提示してもよい。
また、本発明の一態様に係るプログラムは、上記の機器操作方法をコンピュータに実行させるためのプログラムである。
また、本発明の一態様に係る制御システムは、建物において使用される電気機器と、前記電気機器に制御命令を送信する機器操作端末とを備える制御システムであって、前記機器操作端末は、前記電気機器に所望の動作を行わせるための操作を入力として受け付ける入力部と、前記入力部が受け付けた前記操作がユーザに不利益を与える不利益操作であるか否かを判断する判断部と、前記入力部が受け付けた前記操作が不利益操作であると前記判断部により判断された場合に、前記電気機器の操作に関するアドバイス情報を提示する情報提示部と、前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える。
また、本発明の一態様に係る制御装置は、建物において使用される電気機器に所望の動作を行わせるための操作を入力として受け付ける入力部により受け付けた前記操作がユーザに不利益を与える不利益操作であるか否かを判断する判断部と、前記入力部が受け付けた前記操作が不利益操作であると前記判断部により判断された場合に、前記電気機器の操作に関するアドバイス情報を提示する情報提示部と、前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える。
また、本発明の一態様に係る制御システムは、上記の制御装置と前記電気機器とを備える制御システムである。
また、本発明の一態様に係る機器操作端末は、建物において使用される電気機器に所望の動作を行わせるための操作を入力として受け付ける入力部と、前記入力部が受け付けた前記操作がユーザに不利益を与える不利益操作である場合に、前記電気機器の操作に関するアドバイス情報を提示する情報提示部と、前記情報提示部が前記アドバイス情報を提示した後に前記入力部が操作を受け付けると、受け付けた前記操作の対象である前記電気機器に、前記操作の内容に応じた動作を実行させるための制御命令を送信する送信部とを備える。
【国際調査報告】
2016038894.tif 000010
2016038894.tif 000011
2016038894.tif 000012
2016038894.tif 000013